(57)【要約】  細幅織機が、細幅布の両側部から同時にかつ互いに逆向きの方向に作動する２つの横針（２ａ、２ｂ）と細幅布の両側部に配置される編針（２８ａ、２８ｂ）とを備えている。製造すべき細幅布を改善するために、開構造を有する横針（２ａ、２ｂ）には横糸（４ａ、４ｂ）を供給するように個々に作動する糸リフタ（１８ａ、１８ｂ）が細幅布の各側部に設けられている。
2009510280.tif 000002
【特許請求の範囲】
【請求項１】
細幅布の両側部から同時にかつ互いに対して逆向きの方向に作動する２つの横針（２ａ、２ｂ）を備える細幅織機によって前記細幅布を製織する方法であって、
所望の各横パターンを形成可能にするために、前記２つの横針（２ａ、２ｂ）のうち一方に供給される横糸（４ａ，４ｂ，４０ａ，４０ｂ）のみを打ち込むステップを含む方法。
【請求項２】
前記横糸（４ａ，４ｂ，４０ａ，４０ｂ）を前記細幅布の側部ごとに交互に打ち込むステップを含む請求項１記載の方法。
【請求項３】
前記細幅布の各側部で前記横糸ループ（４２ａ，４２ｂ）を前記横ループ自身とともに編むステップを含む請求項１または２記載の方法。
【請求項４】
前記細幅布の各側部で、織り合わされる補助糸（２４ａ，２４ｂ）によって横糸ループ（２２ａ、２２ｂ）を結ぶステップを含む請求項１または２記載の方法。
【請求項５】
請求項１〜４のいずれか１項に記載の方法を実施するための細幅織機であって、前記細幅布の両側部から同時にかつ互いに対して逆向きの方向に作動する２つの横針（２ａ，２ｂ）と前記細幅布の両側部に配置される編針（２８ａ，２８ｂ）とを有する細幅織機において、
開構造を有する前記横針（２ａ，２ｂ）に横糸（４ａ，４ｂ，４０ａ，４０ｂ）を供給するとともに個々に作動する糸リフタ（１８ａ，１８ｂ）を、前記細幅布の各側部に設けていることを特徴とする細幅織機。
【請求項６】
前記横針（２ａ，２ｂ）は、針柄（１４ａ，１４ｂ）に配置されるとともに前記横糸（４ａ，４ｂ，４０ａ，４０ｂ）を収容するように構成されるフォーク（１６ａ，１６ｂ）と、前記針柄（１４ａ，１４ｂ）に沿って前記フォーク（１６ａ，１６ｂ）の前方まで延びる前記横糸（４ａ，４ｂ，４０ａ，４０ｂ）用のガイド孔（２０ａ，２０ｂ）とを備えていることを特徴とする請求項５に記載の細幅織機。
【発明の詳細な説明】
【技術分野】
【０００１】
本発明は、請求項１の前文に記載された細幅織機で細幅布を製織するための方法および請求項５の前文に記載されたこの方法を実施するための細幅織機に関する。
【背景技術】
【０００２】
冒頭に述べた種類の細幅布を製織するための方法および細幅織機が、独国特許出願公開第４００９４５５号明細書によって公知となっている。そこに述べられた細幅織機によって細幅布を製造する方法は互いに逆向きの方向に作動する２つの閉構造を有する横針で行われており、細幅布は両方の横針を共通の杼口に打ち込むことによって製織されることとなる。互いに逆向きの方向に打ち込まれる横糸ループの頭部は、細幅布の各側部で各１本の補助糸で形成される畝によって固定されており、畝は細幅布の両方の耳部に設けられている。ところが、この欠点として、常に２つの横糸ループを共通の杼口に打ち込まなければならないということがあり、杼口の交換時に２つの横糸ループ、すなわち４つの横糸部分を同時に織り込まれねばならないということがある。その結果として、製造されるべき細幅布の安定性が損なわれることとなる。また、常に横糸を配置している案内ループを有する閉構造の横針が用いられることとなるため、いかなる変更もできなくなっている。
【発明の開示】
【発明が解決しようとする課題】
【０００３】
本発明の課題は、同時にかつ互いに逆向きの方向に作動する２つの横針を備える細幅織機によって細幅布を製織するための方法を改良することにある。
【課題を解決するための手段】
【０００４】
この課題は、ａ．冒頭に述べた方法において請求項１の特徴部分の態様によって、またｂ．冒頭に述べた細幅織機において請求項５の特徴部分の態様によって、解決されることとなる。
【０００５】
２つの横針の一方に供給される横糸のみを打ち込むことによって、所望のあらゆる横パターンを形成することができる。先行技術のように２つの横糸を同時に杼口に挿入できるだけでなく、特に請求項２のように横糸を細幅布の側部ごとに交互に打ち込むことができ、各杼口の交換時に単に１つの横糸ループが打ち込まれることとなる。さらに、色および品質の異なる横糸を横針に供給することができる。これにより、製造された細幅布の機械的な品質が改良されるだけでなく、柄出しをする可能性も高まる。
【０００６】
請求項３によれば、細幅布の各側部で横糸ループは、その横ループ自身とともに編まれ、また細幅布の各側部で横糸ループは、請求項４によれば、織り合わされる補助糸によって編まれることとなる。
【０００７】
この方法を実施するのに役立つ細幅織機にとって重要なことは、開構造を有する横針に横糸を供給するとともに個々に作動する糸リフタが、細幅布の各側部に設けられていることである。
【０００８】
請求項６に述べられた好ましい構成の横針は、針柄に配置されるとともに横糸を収容するように構成されるフォークと、針柄に沿ってフォークの前方にまで延びる横糸用のガイド孔とを備えている。
【０００９】
以下、本発明の実施形態が図面に基づいて詳しく説明される。図面は様々な製織段階における細幅織機の製織領域を示し、さらに図１〜図４では打ち込まれた横糸ループを補助糸で結ぶ状態を示し、図５〜図７では打ち込まれた横糸ループを補助糸なしに結んでいる状態を示す。
【発明を実施するための最良の形態】
【００１０】
図１〜図４は、互いに逆向きの方向に駆動される２つの横針２ａ，２ｂを備える細幅織機の製織領域を示しており、横針が横糸４ａ，４ｂを杼口６に打ち込むこととなる。縦糸８で形成される杼口６内で、横糸は製織筬９によって筬打ち耳部１０に筬打ちされ、こうして細幅布１２が生成されることとなる。
【００１１】
横針２ａ，２ｂはそれぞれ開構造を有する針であり、すなわち針柄１４ａ、１４ｂの前端にフォーク１６ａ，１６ｂを有する。各横糸４ａ，４ｂは上下動可能な糸リフタ１８ａ，１８ｂによってこのフォークに挿入されることとなる。横針２ａ，２ｂは、それぞれガイド孔２０ａ，２０ｂを備えており、ガイド孔２０ａ，２０ｂは、針柄１４ａ，１４ｂに沿って延びて、フォーク１６ａ，１６ｂの上方にまで達している。ガイド孔２０ａ，２０ｂは、横糸が杼口６に打ち込まれないときに横糸４ａ，４ｂを案内することに役立ち、また各糸リフタ１８ａ，１８ｂの補助によってフォーク１６ａ，１６ｂへの挿入を容易にすることに役立つこととなる。その都度、打ち込まれる横糸ループ２２ａ，２２ｂは、補助糸２４ａ，２４ｂによって固定され、補助針はそれぞれ糸ガイド２６ａ，２６ｂによって編針２８ａ，２８ｂに供給されて、横糸ループ２２ａ，２２ｂと織り合わされることとなる。
【００１２】
図１に示す位置では、左側部の横針２ａが、まさに横糸ループ２２ａを杼口６に打ち込まれている状態であって、製織筬１１によって筬打ち耳部１０に筬打ちされている状態となっている。横針２ａのフォーク１６ａの左側部の横糸４ａは、左側部の糸リフタ１８ａによって糸リフタ１８ａの上昇に伴って持ち上げられ、横針２ａのフォーク１６ａによって把持できなくなっている。杼口の右側部で糸リフタ１８ｂは降下し、横糸４ｂを横針２ｂのフォーク１６ｂに係合させて、このフォークは、図２に示すように横糸ループ２２ｂを開口する杼口６に打ち込むことができる。左側部の横針２ａは空で杼口に走り込むこととなり、横糸４ａはガイド孔２０ａ内で案内されることとなる。
【００１３】
図３で明らかにされるように、横糸ループ２２ｂが杼口内に完全に打ち込まれたならば、左側部の編針２８ａは、補助糸２４ａを把持して、この補助糸を打ち込まれた横糸ループ２２ｂ内に通して、さらに補助糸２４ａの最終ループ３０ａ内に通すこととなる。右側部では補助糸２４ｂが、補助糸２４ｂ自身と、その最終ループ３０ｂとに編み込まれ、横糸ループ内には通されないこととなる。打ち込まれた横糸ループ２２ｂを補助糸２４ａによってこのように固定した後、横針２ａ，２ｂが杼口から出て、製織筬１１がこのように打ち込まれた横糸ループを筬打ち耳部１０に筬打ちすることとなる。次に、糸リフタ１８ｂは、再び持ち上げられ、横糸４ｂが横針２ｂのフォーク１６ｂで把持されることを防止することとなる。その代わりに、横糸４ａは糸リフタ１８ａによって横針２ａのフォーク１６ａに係合させられ、次の杼口の開口時に他の横糸ループ２２ａが同様に細幅布の左側部から打ち込まれることとなる。
【００１４】
図５〜図７で示されり細幅織機は、図１〜図４の細幅織機と同様の構成となっており、第１実施例と同じ部品には同じ符号が付されている。ここで、図１〜図４に関連する詳細な記述を参照するものとする。しかしながら、図５〜図７の実施例では、補助糸が用いられることなく横糸４０ａ，４０ｂが横糸４０ａ，４０ｂ自身と編み込まれている。図６は、横糸４０ａからなる横糸ループ４２ａが左側部の横針２ａによって杼口内にどのように打ち込まれるのかを示している。打ち込みが完全に行なわれた後に、右側部の編針２８ｂは、打ち込まれた横糸ループ４２ａを把持し、この横糸ループを既に脱出した横糸ループ４２ａ内に通すこととなる。細幅布の左側部から横針２ａによって横糸ループ４２ａを打ち込む間、右側部の横針２ｂは空の状態で杼道内を動くこととなる。横糸４０ｂは、図７から読み取ることができるように右側部の横針２ｂのガイド孔２０ｂ内で案内されることとなる。横針２ａ，２ｂが杼道から引き戻されたならば、打ち込まれた横糸ループ４２ａは図５に示すように製織筬１１によって筬打ち耳部１０で筬打ちされることとなる。杼口の交換後、細幅布の右側部で横糸ループの打ち込みが続き、この過程は、細幅布の左側部における横糸の打ち込みと同様に行われることとなる。
【図面の簡単な説明】
【００１５】
【図１】左側部の横針によって打ち込まれた横糸ループの筬打ち時の製織領域を示す略図である。
【図２】右側部の横針によって横糸ループを打ち込むときの図１の製織領域を示す。
【図３】横糸ループを打ち込んでそれを結ぶ前の図２の製織領域を示す。
【図４】右側部の横針によって打ち込まれた横糸ループを筬打ちし横糸を左側部の横針に供給するときの図３の製織領域を示す。
【図５】右側部の横針によって打ち込まれた横糸ループを筬打ちするときの製織領域を示す。
【図６】左側部の横針によって打ち込まれた横糸ループを打ち込むときの図５の製織領域を示す。
【図７】打ち込まれた横糸ループを織り合せるときの図６の製織領域を示す。
【符号の説明】
【００１６】
２ａ  横針
２ｂ  横針
４ａ  横糸
４ｂ  横糸
６  杼口
８  縦糸
１０  筬打ち耳部
１１  製織筬
１２  細幅布
１４ａ  針柄
１４ｂ  針柄
１６ａ  フォーク
１６ｂ  フォーク
１８ａ  糸リフタ
１８ｂ  糸リフタ
２０ａ  ガイド孔
２０ｂ  ガイド孔
２２ａ  横糸ループ
２２ｂ  横糸ループ
２４ａ  補助糸
２４ｂ  補助糸
２６ａ  糸ガイド
２６ｂ  糸ガイド
２８ａ  編針
２８ｂ  編針
４０ａ  横糸
４０ｂ  横糸
４２ａ  横糸ループ
４２ｂ  横糸ループ
【図１】
2009510280.tif 000003
【図２】
2009510280.tif 000004
【図３】
2009510280.tif 000005
【図４】
2009510280.tif 000006
【図５】
2009510280.tif 000007
【図６】
2009510280.tif 000008
【図７】
2009510280.tif 000009
【国際調査報告】
2009510280.tif 000010
2009510280.tif 000011
2009510280.tif 000012
2009510280.tif 000013
2009510280.tif 000014
2009510280.tif 000015